(57)【要約】【課題】踏段を効率よく照明できるエスカレータの欄干照明装置を提供する。【解決手段】エスカレータ３０の欄干照明装置１０は、エスカレータ３０に設置され、欄干パネル３３が、踏段３１側に開口部１３を有し、欄干パネル３３の移動手摺３５の近傍に、欄干パネル３２，３３内を透過して開口部１３から踏段３１に向けて光を照射する光源１１を備える。【選択図】図１
2012218913.tif 000002
【特許請求の範囲】
【請求項１】
無端状に連結されて循環移動する踏段と、
前記踏段の両側に配置される一対の欄干パネルと、
前記欄干パネルの周縁部を移動する移動手摺とを備えるエスカレータに設置され、
前記欄干パネルが、前記踏段側に開口部を有し、
前記欄干パネルの前記移動手摺の近傍に、前記欄干パネル内を透過して前記開口部から前記踏段に向けて光を照射する光源を備えるエスカレータの欄干照明装置。
【請求項２】
請求項１に記載のエスカレータの欄干照明装置において、
前記光源からの光を前記踏段に向けるための反射板を備えるエスカレータの欄干照明装置。
【請求項３】
請求項１または請求項２に記載のエスカレータの欄干照明装置において、
前記欄干パネルが、内面に鏡面を有するエスカレータの欄干照明装置。
【請求項４】
請求項１ないし請求項３のうちのいずれか１項に記載のエスカレータの欄干照明装置において、
前記欄干パネルが、前記開口部に透過性を有する透過パネルを有するエスカレータの欄干照明装置。
【発明の詳細な説明】
【技術分野】
【０００１】
本発明は、エスカレータを照明するエスカレータの欄干照明装置に関する。
【背景技術】
【０００２】
従来より、欄干パネルの側面に欄干パネル内部の光の乱反射を誘発する加工が施されたエスカレータの欄干照明装置が知られている（例えば、特許文献１参照）。
【先行技術文献】
【特許文献】
【０００３】
【特許文献１】特開２００６−１７６２２９号公報（図１、請求項１）
【発明の概要】
【発明が解決しようとする課題】
【０００４】
特許文献１は、光を欄干パネルの側面で乱反射させることにより、光量をむだなく使用でき、欄干パネルの模様に応じた斬新で奇抜な光模様を創り出せる。
しかし、特許文献１は、光が欄干パネルの側面で乱反射して光模様を創り出せるものの、例えば足元を確認でき難い老人等の足元を明るく照明して安全な移動を手助けすることができない。
【０００５】
本発明は、前述した課題を解決するためになされたものであり、その目的は、踏段を効率よく照明できるエスカレータの欄干照明装置を提供することにある。
【課題を解決するための手段】
【０００６】
本発明に係るエスカレータの欄干照明装置は、無端状に連結されて循環移動する踏段と、前記踏段の両側に配置される一対の欄干パネルと、前記欄干パネルの周縁部を移動する移動手摺とを備えるエスカレータに設置され、前記欄干パネルが、前記踏段側に開口部を有し、前記欄干パネルの前記移動手摺の近傍に、前記欄干パネル内を透過して前記開口部から前記踏段に向けて光を照射する光源を備える。
【０００７】
本発明に係るエスカレータの欄干照明装置は、前記光源からの光を前記踏段に向けるための反射板を備える。
【０００８】
本発明に係るエスカレータの欄干照明装置は、前記欄干パネルが、内面に鏡面を有する。
【０００９】
本発明に係るエスカレータの欄干照明装置は、前記欄干パネルが、前記開口部に透過性を有する透過パネルを有する。
【発明の効果】
【００１０】
本発明に係るエスカレータの欄干照明装置によれば、踏段を効率よく照明できるという効果を奏する。
【図面の簡単な説明】
【００１１】
【図１】本発明に係る一実施形態のエスカレータの欄干照明装置の側面視垂直断面図
【図２】本発明に係る一実施形態のエスカレータの欄干照明装置の正面視垂直断面図
【発明を実施するための形態】
【００１２】
以下、本発明に係る一実施形態のエスカレータの欄干照明装置について図面を参照して説明する。
図１に示すように、本発明に係る一実施形態のエスカレータの欄干照明装置１０が適用されるエスカレータ３０は、建築物１の上階床２と下階床３との間に亘って配置される。
エスカレータ３０は、上階床２と下階床３との間に亘って建築物１に設置されるトラス４内において長楕円軌道に沿って配置される。
エスカレータ３０は、無端状に連結された多数の踏段３１と、これら踏段３１の両側に配置されたそれぞれ一対の外側欄干パネル３２および内側欄干パネル３３とを備える。
【００１３】
外側欄干パネル３２は、光を透過させない不透過性板部材である。同様に、内側欄干パネル３３も光を透過させない不透過性板部材である。
エスカレータ３０は、内側欄干パネル３３の下方において上階床２の乗降口から下階床３の乗降口の間に亘って設けられたスカート部３４を備える。
【００１４】
エスカレータ３０は、外側欄干パネル３２および内側欄干パネル３３の周縁部にそれぞれ装着された無端状の移動手摺３５を備える。
移動手摺３５は、不図示の駆動手段の駆動により踏段３１が循環移動されると同時に、外側欄干パネル３２および内側欄干パネル３３の周縁部を踏段３１と同期して循環移動する。
【００１５】
移動手摺３５は、踏段３１が下階側から上階側へ移動する上昇方向の運転時に、下階床３の乗降口側でスカート部３４内より外部に現れ、上階床２の乗降口側でスカート部３４内に入り込んで、下階床３の乗降口側へと移動する。
これとは異なり、移動手摺３５は、踏段３１が上階側から下階側へ移動する下降方向の運転時に、上階床２の乗降口側でスカート部３４内より外部に現れ、下階床３の乗降口側でスカート部３４内に入り込んで、上階床２の乗降口側へと移動する。
このように、移動手摺３５は、外側欄干パネル３２および内側欄干パネル３３の上端部において循環移動することにより利用者が手で掴む。
【００１６】
図２に示すように、エスカレータ３０は、外側欄干パネル３２および内側欄干パネル３３の上端部に手摺デッキ３６を備える。
手摺デッキ３６は、上階床２と下階床３との間において外側欄干パネル３２および内側欄干パネル３３の上端部に取り付けられる。
エスカレータ３０は、手摺デッキ３６の両側部に、移動手摺３５を移動自在に支持する鍔状の一対の案内レール３７を備える。
【００１７】
欄干照明装置１０は、手摺デッキ３６に取り付けられる光源であるＬＥＤユニット１１と、外側欄干パネル３２および内側欄干パネル３３の間に取り付けられる透過パネル１２と、内側欄干パネル３３の踏段３１側に形成された開口部１３とを備える。
欄干照明装置１０は、開口部１３に取り付けられる乳白パネル１４と、外側欄干パネル３２の内面に形成された鏡面１５と、内側欄干パネル３３の内面に形成された鏡面１６とを備える。
欄干照明装置１０は、透過パネル１２の下端部に取り付けられた反射板１７を備える。
【００１８】
ＬＥＤユニット１１は、外側欄干パネル３２および内側欄干パネル３３の上端面に沿って配置された手摺デッキ３６の長手方向に取り付けられたＬＥＤ基板１８に複数のＬＥＤ１９がライン状に封止されている。
ＬＥＤユニット１１は、ＬＥＤ基板１８が不図示の電源ユニットに電気的に接続される。そのため、電源ユニットが駆動されることにより、ＬＥＤ１９が発光され、ＬＥＤ１９からの光が透過パネル１２内に出射される。
【００１９】
開口部１３は、上階床２と下階床３との間に亘って配置される内側欄干パネル３３の踏段３１側に形成される。
そして、乳白パネル１４は、乳白色の透過部材であって、透過パネル１２の下端部寄りにおいて開口部１３に取り付けられる。
そのため、開口部１３および乳白パネル１４は、上階床２と下階床３との間に亘って配置される内側欄干パネル３３の長さに沿って踏段３１側に配置される。
反射板１７は、透過パネル１２の下端部において、透過パネル１２内を透過してきたＬＥＤ１９の光を、踏段３１に向けるための反射面２０を有する。
【００２０】
このようなエスカレータ３０は、駆動手段の駆動により踏段３１が循環移動されると同時に、移動手摺３５が外側欄干パネル３２および内側欄干パネル３３の周縁部を踏段３１と同期して循環移動する。
そして、同時的に、欄干照明装置１０の電源ユニットからの通電により、ＬＥＤユニット１１のＬＥＤ１９が発光され、ＬＥＤ１９からの光が透過パネル１２内に出射される。
【００２１】
透過パネル１２内に出射されたＬＥＤ１９からの光は、外側欄干パネル３２の鏡面１５および内側欄干パネル３３の鏡面１６により反射を繰り返しながら反射板１７に向けて進行され、反射板１７の反射面２０により開口部１３に向けて反射される。
そして、反射板１７の反射面２０により反射された光は、乳白パネル１４を介して踏段３１を照射することになる。
【００２２】
以上、説明したように一実施形態のエスカレータ３０の欄干照明装置１０によれば、ＬＥＤユニット１１のＬＥＤ１９からの光が、外側欄干パネル３２および内側欄干パネル３３の間の透過パネル１２を介して開口部１３から踏段３１に向けて照射される。
従って、一実施形態のエスカレータ３０の欄干照明装置１０によれば、踏段３１を効率よく照明できる。
【００２３】
また、一実施形態のエスカレータ３０の欄干照明装置１０によれば、ＬＥＤ１９からの光が反射板１７の反射面２０により開口部１３に向けて反射されるために、光を無駄なく踏段３１に向けて進行できる。
【００２４】
そして、一実施形態のエスカレータ３０の欄干照明装置１０によれば、外側欄干パネル３２の内面に形成された鏡面１５および内側欄干パネル３３に形成された鏡面１６により、ＬＥＤ１９からの光を反射板１７に対して無駄なく進行できる。
【００２５】
さらに、一実施形態のエスカレータ３０の欄干照明装置１０によれば、内側欄干パネル３３の開口部１３に乳白パネル１４が取り付けられるために、踏段３１に対して光を演出できる。
【００２６】
なお、本発明のエスカレータの欄干照明装置においてエスカレータを構成する踏段，外側欄干パネル，内側欄干パネル，移動手摺等は、前述した一実施形態に限定されるものでなく、適宜な変形や改良等が可能である。
【符号の説明】
【００２７】
１０  欄干照明装置
１１  ＬＥＤユニット（光源）
１２  透過パネル
１３  開口部
１４  乳白パネル（透過パネル）
１５  鏡面
１６  鏡面
１７  反射板
３０  エスカレータ
３１  踏段
３２  外側欄干パネル（欄干パネル）
３３  内側欄干パネル（欄干パネル）
３５  移動手摺
【図１】
2012218913.tif 000003
【図２】
2012218913.tif 000004